(57)【要約】【課題】現在位置で本来受信可能な放送波のチャンネルが選局リストを作成すること。【解決手段】受信装置１は、放送波を受信する受信部７と、所定の人工衛星からの電波を受信可能であると判断すると、放送波のチャンネルサーチの実行を開始して、受信部７が現在受信可能なチャンネルのリストを作成する制御部１１とを備える。【選択図】図１
2008017392.tif 000002
【特許請求の範囲】
【請求項１】
放送波を受信する放送波受信部と、
所定の人工衛星からの電波を受信可能であると判断すると、放送波のチャンネルサーチの実行を開始して、前記放送波受信部が現在受信可能なチャンネルのリストを作成する制御部とを備える、受信装置。
【請求項２】
前記制御部は、前記人工衛星からの電波を受信不可能であると判断すると、放送波のチャンネルサーチの実行を保留又は中止する、請求項１に記載の受信装置。
【請求項３】
前記制御部は、前記人工衛星からの電波を受信不可能であると判断している間、放送波のチャンネルサーチの実行を保留し、前記人工衛星からの電波を受信可能であると判断すると、放送波のチャンネルサーチの実行を開始する、請求項１に記載の受信装置。
【請求項４】
前記チャンネルサーチについて実行要求を受け付けた場合又は予め設定されている開始時が来た場合に、前記人工衛星からの電波を受信不可能であると判断すると、放送波のチャンネルサーチの実行を保留又は中止する、請求項２に記載の受信装置。
【請求項５】
放送波を受信する放送波受信ステップと、
所定の人工衛星からの電波を受信可能であると判断すると、放送波のチャンネルサーチの実行を開始して、前記放送波受信ステップで現在受信可能なチャンネルのリストを作成するリスト作成ステップとを備える、チャンネルサーチ方法。
【請求項６】
放送波を受信する放送波受信装置と共に用いられる集積回路であって、
所定の人工衛星からの電波を受信可能か否かを判断する判断部と、
前記判断部が前記電波を受信可能と判断すると、放送波のチャンネルサーチの実行を開始して、前記放送波受信部が現在受信可能なチャンネルのリストを作成するリスト作成部とを備える、集積回路。
【発明の詳細な説明】
【技術分野】
【０００１】
本発明は、受信可能な放送波を自動的に検出する受信装置およびチャンネルサーチ方法に関する。
【背景技術】
【０００２】
従来の受信装置は、現在受信中の放送波が受信不可能になったことを検出すると、チャンネルサーチを開始し、その時点で受信可能な放送波をサーチして、受信レベルと受信可能な放送波のチャンネル番号とを含む選局リストを作成している（例えば、特許文献１参照）。
【特許文献１】特開２０００−５９７０６号公報
【発明の開示】
【発明が解決しようとする課題】
【０００３】
上記のようなチャンネルサーチの開始タイミングであると、受信装置の現在位置が例えば地下駐車場、屋内又は高架下のように放送波が届きにくい場所である場合、現在位置で本来受信可能な放送波のチャンネルが選局リストに書き込まれなくなるという問題があった。
【０００４】
それ故に、本発明は、現在位置で本来受信可能な放送波のチャンネルの選局リストを作成可能な受信装置およびチャンネルサーチ方式を提供することを目的とする。
【課題を解決するための手段】
【０００５】
上記目的を達成するために、本発明に係る受信装置は、放送波を受信する放送波受信部と、所定の人工衛星からの電波を受信可能であると判断すると、放送波のチャンネルサーチの実行を開始して、放送波受信部が現在受信可能なチャンネルのリストを作成する制御部とを備える。
【０００６】
本発明は、受信装置のほかに、チャンネルサーチ方法および集積回路として実現可能である。
【発明の効果】
【０００７】
本発明は、所定の人工衛星からの電波を受信可能と判断すると、チャンネルサーチを開始することにより、放送波の届きにくい場所でのチャンネルサーチの実行を避けることが可能となる。これによって、現在位置で本来受信可能な放送波のチャンネルの選局リストを作成可能な受信装置およびチャンネルサーチ方式を提供することができる。
【発明を実施するための最良の形態】
【０００８】
以下、本発明の実施の形態に係る受信装置及びチャンネルサーチ方法について、図面を用いて説明する。
【０００９】
図１は、本発明の一実施の形態に係る受信装置の構成を示すブロック図である。図１において、受信装置１には、受信機２と、放送用アンテナ３と、スピーカ４と、表示装置５とが接続される。
【００１０】
受信機２は、所定の人工衛星からの電波を、アンテナ６を介して受信する。所定の人工衛星は、本実施形態では、ＧＰＳ（Ｇｌｏｂａｌ  Ｐｏｓｉｔｉｏｎｉｎｇ  Ｓｙｓｔｅｍ）の人工衛星（以下、ＧＰＳ衛星という）である。この場合、受信機２は、所定数のＧＰＳ衛星から送出された電波を捕捉して、受信装置１の現在位置を示す緯度及び経度を導出する。また、受信機２は、少なくとも１つのＧＰＳ衛星からの電波を受信できているか否かを示す信号（以下、単に「受信状態」という）を受信装置１に出力する。なお、電波の受信電界強度が所定の基準値以上の場合に、受信状態は「受信可」を示し、そうでない場合に、受信状態は「受信不可」を示す。他にも、受信機２が現在位置を導出できた場合に、受信状態は「受信可」を示し、そうでない場合に、受信状態は「受信不可」を示していても構わない。
【００１１】
放送用アンテナ３は、テレビ又はラジオの放送局（図示せず）からの放送波を受信する。
【００１２】
スピーカ４は、受信装置１から出力された音声信号に基づき音声を出力する。
【００１３】
表示装置５は、受信装置１から出力された映像信号に基づき映像を出力する。
【００１４】
また、受信装置１は、放送波用の受信部（以下、単に受信部という）７と、復調部８と、音声処理部９と、映像処理部１０と、制御部１１と、選局リストメモリ１２とを備える。
【００１５】
受信部７は、制御部１１により設定されたチャンネルの放送波を、放送用アンテナ３を介して受信する。
【００１６】
復調部８は、受信部７の出力信号を復調して、音声信号及び映像信号を分離して、音声処理部９及び映像処理部１０に出力する。
【００１７】
音声処理部９は、復調部８から出力された音声信号に対して、所定の処理（例えば増幅）を行って、処理済みの音声信号をスピーカ４に出力する。
【００１８】
映像処理部１０は、復調部８から出力された映像信号に対して、所定の処理（例えば増幅）を行って、処理済みの映像信号を表示装置５に出力する。
【００１９】
制御部１１は、後述する処理を行う。
【００２０】
選局リストメモリ１２は、制御部１１により作成された選局リストを格納する。
【００２１】
以上のように構成された受信装置１について、図２のフローチャートを用いて、制御部１１の動作を中心に説明する。
【００２２】
まず、制御部１１は、チャンネルサーチ要求の有無を判断する（ステップＳ２０１）。
【００２３】
チャンネルサーチ要求がなければ、図２の処理は終了する。それに対し、チャンネルサーチ要求があれば、制御部１１は、受信機２から受信状態を取得する（ステップＳ２０２）。
【００２４】
制御部１１は、取得した受信状態が「受信可」を示すか否かを判断する（ステップＳ２０３）。
【００２５】
「受信不可」を示していれば、制御部１１はチャンネルサーチの実行を保留し、再度、ステップＳ２０２が実行される。それに対し、「受信可」を示していれば、制御部１１は、ステップＳ２０４に移行し、チャンネルサーチの実行を開始する。
【００２６】
制御部１１は、受信部７に未サーチのチャンネル（周波数）を設定する（ステップＳ２０４）。
【００２７】
受信部７は、制御部１１により設定されたチャンネル（周波数）の受信電界強度を制御部１１に返す。こうして、制御部１１は、現在設定中のチャンネルについて受信電界強度を受け取る（ステップＳ２０５）。
【００２８】
制御部１１は、受け取った受信電界強度が所定の基準値以上であるかどうかを判断する（ステップＳ２０６）。
【００２９】
所定の基準値以上であれば、制御部１１は、現在設定されたチャンネルを選局リストメモリ１２に書き込む（ステップＳ２０７）。
【００３０】
ステップＳ２０６で所定の基準値未満と判断した場合、又は、ステップＳ２０７を行った後、制御部１１は、ステップＳ２０４に戻って、受信部７のチャンネルを、未サーチのものに更新して、以降、同様の処理を繰り返す。なお、チャンネルサーチの実行中、ユーザは音声及び映像を必要としない場合があるので、復調部８、音声処理部９、映像処理部１０、スピーカ４及び表示装置５は能動化されていなくても良い。
【００３１】
上記のようなチャンネルサーチが終了すると（ステップＳ２０８）、選局リストメモリ１２には、選局リストが完成している。この選局リストは、ＧＰＳ衛星が受信可能な位置において、受信部７が受信可能なチャンネルが全て記述されている。制御部１１は、選局リストメモリ１２に書き込まれた受信可能チャンネルをユーザに通知するために、例えば受信可能チャンネルを示す画像を生成して、表示装置５に表示する。
【００３２】
他にも、制御部１１は、選局リストから任意の１チャンネルを選択し、選択したものを受信部７に設定しても構わない。この場合、設定されたチャンネル上を伝送されてくる放送波に基づいて、スピーカ４は音声を出力し、表示装置５は映像を出力する。
【００３３】
以上のとおり、トンネル、地下の駐車場、又は高架下など受信条件が良くない場所でチャンネルサーチの要求があっても、ＧＰＳ衛星からの電波が受信不可の間、制御部１１は、チャンネルサーチの実行を保留し、選局リストを作成しない。制御部１１は、ＧＰＳ衛星からの電波を受信可になった時点で、上空の見通しが良くなったとして、チャンネルサーチを開始し、選局リストを作成する。このように本実施の形態によれば、受信装置１の現在位置で本来受信可能な放送波のチャンネルが記述された選局リストを作成可能となる。
【００３４】
なお、チャンネルサーチ要求は、ユーザの操作に応答して図示しない入力装置が制御部１１に要求しても構わないし、上記受信装置１を搭載可能な車両のエンジンスタート時又は受信装置１の電源投入時のように予め定められた時期に制御部１１に対して要求しても構わない。
【００３５】
また、受信機２は、ＧＰＳ受信機に限らず、例えば放送衛星又は通信衛星からの電波を受信するものであっても構わない。受信機２には、テレビ放送又はラジオ放送局の送信アンテナよりも、良い見通しが得られる人工衛星からの電波を受信可能であることが要求される。
【００３６】
また、受信機２は、受信装置１に接続されるとして説明したが、これに限らず、受信装置１に内蔵されていても構わない。
【００３７】
本実施の形態では、制御部１１は、チャンネルサーチの要求があった後、ＧＰＳ衛星からの電波が受信可能になるまで、チャンネルサーチの実行を保留する。しかし、これに限らず、制御部１１は、ＧＰＳ衛星からの電波が受信可能な場合のみチャンネルサーチを行っても構わない。
【００３８】
また、制御部１１は、一旦開始されたチャンネルサーチの途中に、ＧＰＳ衛星からの電波の受信状態が悪くなった場合、実行中のチャンネルサーチを中止しても構わない。この場合、チャンネルサーチは、ＧＰＳ衛星からの電波の受信状態が良くなった場合、再開されればよい。
【００３９】
また、制御部１１は、集積回路で実現されても構わない。
【産業上の利用可能性】
【００４０】
本発明に係る受信装置は、現在位置で本来受信可能な放送波のチャンネルが選局リストを作成可能という効果を有し、テレビジョン受像機及びラジオ受信機等として有用である。
【図面の簡単な説明】
【００４１】
【図１】本発明の実施形態に係る受信装置１の構成を示すブロック図
【図２】図１に示す受信装置１の動作を示すフロー図
【符号の説明】
【００４２】
１  受信装置
２  受信機
３  放送用アンテナ
４  スピーカ
５  表示装置
６  アンテナ
７  受信部
８  復調部
９  音声処理部
１０  映像処理部
１１  制御部
１２  選局リストメモリ
【図１】
2008017392.tif 000003
【図２】
2008017392.tif 000004